(57)【要約】【課題】雰囲気音により自動的に高濃度酸素を得てリラックス効果と、疲労低減の効果が期待できる空気供給装置を提供することを目的とする。【解決手段】酸素濃度が可変できる空気供給部２と、雰囲気音を解析する解析部３と、その解析部３の解析結果により、空気供給部２から供給する酸素濃度を指令する制御部４とを有するものである。これにより、音の刺激を受けると、自ら高濃度酸素を供給する操作をすることなく、その音に対する刺激を和らげるような酸素濃度の空気が供給され、リラックス効果と、疲労低減の効果が期待できるものである。【選択図】図１
2006055380.tif 000002
【特許請求の範囲】
【請求項１】
酸素濃度が可変できる空気供給部と、雰囲気音を解析する解析部と、その解析部の解析結果により、空気供給部から供給する酸素濃度を指令する制御部を有する空気供給装置。
【請求項２】
解析部による雰囲気音の解析は、音量およびそのパターン解析である請求項１に記載の空気供給装置。
【請求項３】
解析部による雰囲気音の解析は、周波数およびそのパターン解析である請求項１に記載の空気供給装置。
【請求項４】
請求項１〜３のいずれか１項に記載の空気供給装置が設置され、少なくともその供給された空気により換気される閉塞空間室。
【請求項５】
閉塞空間がコンサートホールまたはスタジアムである請求項４に記載の閉塞空間室。
【請求項６】
閉塞空間が車内である請求項４に記載の閉塞空間室。
【請求項７】
閉塞空間が音響機器を有する車内である請求項４に記載の閉塞空間室。
【請求項８】
請求項１〜３のいずれか１項に記載の空気供給装置を内蔵した音響機器。
【請求項９】
ヘッドホン部に空気供給装置から供給された空気吐出口を有する請求項８に記載の音響機器。
【発明の詳細な説明】
【技術分野】
【０００１】
本発明は、酸素濃度を可変できる空気供給部を有する空気供給装置とそれを設けた閉塞空間室および音響機器に関するものである。
【背景技術】
【０００２】
従来、リラックス効果や体の疲労回復などに人間のいる閉塞空間や、あるいは人間の口もしくは鼻に高濃度酸素を供給する方法がいくつか提案されている（例えば、特許文献１参照）。
【特許文献１】特開平１０−１５５８６０号公報
【発明の開示】
【発明が解決しようとする課題】
【０００３】
しかしながら、前記従来の構成では、使用者自らが操作することにより高濃度酸素を得てリラックス効果や体の疲労回復などをはかっているものであり、使用性に課題があった。
【０００４】
本発明は、前記従来の課題を解決するもので、雰囲気音により自動的に高濃度酸素を得てリラックス効果と、疲労低減の効果が期待できる空気供給装置とそれを設けた閉塞空間室および音響機器を提供することを目的とする。
【課題を解決するための手段】
【０００５】
前記従来の課題を解決するために、本発明の空気供給装置とそれを設けた閉塞空間室および音響機器は、酸素濃度が可変できる空気供給部と、雰囲気音を解析する解析部と、その解析部の解析結果により、空気供給部から供給する酸素濃度を指令する制御部を有するものである。
【０００６】
これにより、音の刺激を受けると、自ら高濃度酸素を供給する操作をすることなく、その音に対する刺激を和らげるような酸素濃度の空気が供給され、リラックス効果と、疲労低減の効果が期待できるものである。
【発明の効果】
【０００７】
本発明の空気供給装置とそれを設けた閉塞空間室および音響機器は、音の刺激に対するリラックス効果と、疲労低減の効果が期待できる。
【発明を実施するための最良の形態】
【０００８】
第１の発明は、酸素濃度が可変できる空気供給部と、雰囲気音を解析する解析部と、その解析部の解析結果により、空気供給部から供給する酸素濃度を指令する制御部を有する空気供給装置とすることにより、音の刺激を受けると、自ら高濃度酸素を供給する操作をすることなく、その音に対する刺激を和らげるような酸素濃度の空気が供給され、リラックス効果と、疲労低減の効果が期待できる。
【０００９】
第２の発明は、特に、第１の発明において、解析部による雰囲気音の解析は、音量およびそのパターン解析であることにより、きめ細かい音の刺激に対するリラックス効果と、疲労低減の効果が期待できる。
【００１０】
第３の発明は、特に、第１の発明において、解析部による雰囲気音の解析は、周波数およびそのパターン解析であることにより、第２の発明と同様、きめ細かい音の刺激に対するリラックス効果と、疲労低減の効果が期待できる。
【００１１】
第４の発明は、特に、第１〜第３のいずれか１つの発明における空気供給装置が設置され、少なくともその供給された空気により換気される閉塞空間室とすることにより、供給される高濃度酸素が外部に逃げることがないので、より瞬時に音の刺激に対するリラックス効果と、疲労低減の効果が期待できる。
【００１２】
第５の発明は、特に、第４の発明において、閉塞空間がコンサートホールまたはスタジアムであることにより、コンサートホールでは、各種音楽の刺激に応じた酸素濃度に制御し供給するため、リラックス効果と、疲労低減の効果が期待でき、また、スタジアムではスポーツの興奮度合いによる酸素濃度によるリラックス効果と、疲労低減の効果が期待できる。
【００１３】
第６の発明は、特に、第４の発明において、閉塞空間が車内であることにより、例えば、列車の場合、混雑具合や走行音によるストレスに応じた酸素濃度の空気が供給されるため、リラックス効果と、疲労低減の効果が期待でき、また、自動車内でも走行音により、車速や走行音ストレスに応じた酸素濃度の空気が供給されるため、リラックス効果と、疲労低減の効果が期待でき、自動車の安全運転につながる。
【００１４】
第７の発明は、特に、第４の発明において、閉塞空間が音響機器を有する車内であることにより、自動車内に流れる各種音楽の刺激に応じた酸素濃度に制御し供給するため、リラックス効果と、疲労低減の効果が期待でき、自動車の安全運転につながる。
【００１５】
第８の発明は、特に、第１〜第３のいずれか１つの発明における空気供給装置を内蔵した音響機器とすることにより、音響機器自体から各種音楽の刺激に応じた酸素濃度に制御し供給するため、リラックス効果と、疲労低減の効果が期待できる。
【００１６】
第９の発明は、特に、第８の発明において、ヘッドホン部に空気供給装置から供給された空気吐出口を有することにより、空気吐出口からの酸素供給が使用者の顔面に近いので、より大きなリラックス効果と、疲労低減の効果が期待できる。
【００１７】
以下、本発明の実施の形態について図面を参照しながら説明する。なお、本実施の形態によって本発明が限定されるものではない。
【００１８】
（実施の形態）
図１は、本発明の実施の形態における空気供給装置を示しているものである。
【００１９】
図に示すように、本実施の形態における空気供給装置１は、酸素濃度が可変できる空気供給部２と、雰囲気音を解析する解析部３と、その解析部３の解析結果により、空気供給部２から供給する酸素濃度を指令する制御部４とを有するものである。
【００２０】
前記解析部３による雰囲気音の解析は、音量およびそのパターン解析であり、または周波数およびそのパターン解析である。これにより、きめ細かい音の刺激に対し供給される空気の酸素濃度を可変できるようにしている。
【００２１】
本実施の形態では、空気供給装置１の空気供給部２からの発生空気を、ホース５を介して使用者が装着するヘッドホン部６に設けた空気吐出口７から使用者の顔面近くに供給するようにしている。また、図では、空気供給装置１を内蔵した音響機器９の例を示しており、ヘッドホン部６はこの音響機器９のヘッドホンそのものである。なお、空気供給装置１の空気供給部２からの発生空気は、ヘッドホン部６によらず、空気供給装置１を設置した略密閉の閉塞空間室８に空気供給部２から直接供給するようにしてもよい。閉塞空間室８は少なくともその供給された空気により換気されるが、供給される高濃度酸素が外部に逃げることがないので、高濃度酸素による効果が期待できる。
【００２２】
ここで、本実施の形態における実験結果について説明する。
【００２３】
（実験結果１）
閉塞空間室８として、面積１０００ｍ２、高さ８ｍのコンサートホールを使用し、そこに空気供給装置１を設置した。空気供給装置１からの発生空気は直接コンサートホールに供給するようにした。そして、制御部４のプログラミングとしては、音量０で酸素濃度２１％、音量最大で酸素濃度３０％とし、その間は音量に対してリニアに酸素濃度を変化させて供給するようにした。
【００２４】
次に、このコンサートホールにおいて被験者５名を音響機器から２ｍ離れた椅子に座らせ、楽団によるベートーベン「交響曲第５番」を２回聞かせた。この２回のうち、ランダムに１回、空気供給装置１を働かせた。そして、２回聞かせた後どちらがリラックスして聞けたかを答えてもらった。これを１０サイクル繰り返して、結果を（表１）にまとめた。
【００２５】
【表１】
2006055380.tif 000003
【００２６】
この結果より、本発明の実施の形態では、音の刺激を受けると、自ら高濃度酸素を供給する操作をすることなく、その音に対する刺激を和らげるような酸素濃度の空気が供給され、リラックス効果と、疲労低減の効果が得られた。
【００２７】
（実験結果２）
閉塞空間室８として、面積１０畳、高さ２．４ｍの閉塞空間を使用し、そこに空気供給装置１と音響機器とを設置した。空気供給装置１からの発生空気は直接閉塞空間に供給するようにした。そして、制御部４のプログラミングとして、パターン１：クラッシック音楽の場合は酸素濃度２５％、ロック系音楽の場合は酸素濃度３５％となるように空気を供給するようにした。また、パターン２：クラッシック音楽の場合は酸素濃度３５％、ロック系音楽の場合は酸素濃度２５％となるように空気を供給するようにした。また、パターン３：空気供給装置を働かせなかった。
【００２８】
次に、この閉塞空間室８に被験者３名を音響機器から２ｍ離れた椅子に座らせ、ベートーベン「交響曲第５番」の第１楽章と、引き続いてＸ−ＪＡＰＡＮの「くれない」の繰り返しを３回聞かせた。このとき、この３回で空気供給装置１の上記パターン１〜３の空気供給が各１回ランダムに行われるように設定した。そして、３回聞かせた後最もリラックスして聞けたかを答えてもらった。そして、これを１２サイクル繰り返して、結果を（表２）にまとめた。
【００２９】
【表２】
2006055380.tif 000004
【００３０】
この結果より、本発明の実施の形態では、音の刺激を受けると、自ら高濃度酸素を供給する操作をすることなく、その音に対する刺激を和らげるような酸素濃度の空気が供給され、リラックス効果と、疲労低減の効果が得られた。
【００３１】
（実験結果３）
空気供給装置１を内蔵したヘッドホンタイプの音響機器において、そのヘッドホン部６に空気吐出口７を有し、空気供給装置１から供給された空気を空気吐出口７から顔面近くに吐出するようにした。そして、制御部４のプログラミングとして、音量０で酸素濃度２１％、音量最大で酸素濃度３０％とし、その間は音量に対してリニアに酸素濃度を変化させて供給するようにした。
【００３２】
次に、音響機器のヘッドホン部６を実験結果１と同じ被験者５名に装着させて椅子に座らせ、ベートーベンの「交響曲第５番」を２回聞かせた。この２回のうち、ランダムに１回、空気供給装置１を働かせた。そして、２回聞かせた後どちらがリラックスして聞けたかを答えてもらった。これを１０サイクル繰り返して、結果を（表３）にまとめた。
【００３３】
【表３】
2006055380.tif 000005
【００３４】
この結果より、本発明の実施の形態では、空気吐出口７からの酸素供給が使用者の顔面に近いので、実験結果１よりも大きなリラックス効果と、疲労低減の効果が得られた。
【００３５】
以上のとおり、実験結果１〜３が得られたが、その他、閉塞空間がスタジアムでは、スポーツの興奮度合いによる酸素濃度によるリラックス効果と、疲労低減の効果が期待できる。また、閉塞空間が車内であることにより、例えば、列車の場合、混雑具合や走行音によるストレスに応じた酸素濃度の空気が供給されるため、リラックス効果と、疲労低減の効果が期待でき、また、自動車内でも走行音により、車速や走行音ストレスに応じた酸素濃度の空気が供給されるため、リラックス効果と、疲労低減の効果が期待でき、自動車の安全運転につながる。特に、閉塞空間が音響機器を有する車内であれば、自動車内に流れる各種音楽の刺激に応じた酸素濃度に制御し供給するため、リラックス効果と、疲労低減の効果が期待でき、自動車の安全運転につながる。さらに、空気供給装置１を音響機器９に内蔵、すなわち、スピーカなど音響装置に内蔵することにより、音響装置自体から各種音楽の刺激に応じた酸素濃度に制御し供給するため、リラックス効果と、疲労低減の効果がより一層効果的に得られる。
【産業上の利用可能性】
【００３６】
本発明の空気供給装置とそれを設けた閉塞空間室および音響機器は、音の刺激に対するリラックス効果と、疲労低減の効果が期待できるので、一般家庭、コンサートホール、スタジアム、列車や車などに適当できる。また、携帯電話と空気供給装置の組み合わせにも適用可能である。
【図面の簡単な説明】
【００３７】
【図１】本発明の実施の形態における空気供給装置とその設置状態を示す構成図
【符号の説明】
【００３８】
１  空気供給装置
２  空気供給部
３  解析部
４  制御部
５  ホース
６  ヘッドホン部
７  空気吐出口
８  閉塞空間室
９  音響機器
【図１】
2006055380.tif 000006